【事件の表示】
　特願２００３−３５５３８６「情報処理装置及びその制御方法、プログラム及び記憶媒体」拒絶査定不服審判事件〔平成１６年　６月１７日出願公開、特開２００４−１６８０３４〕について、次のとおり審決する。
【結　論】
　本件審判の請求は、成り立たない。
【理　由】
［１］手続の経緯
　本願は、平成１４年１０月３０日に出願された特願２００２−３１６４０１号をその優先権主張の基礎とする、平成１５年１０月１５日の出願であって、平成２１年１月３０日付けで拒絶査定がなされ、同年３月９日に拒絶査定不服審判がなされるとともに、同年４月８日に手続補正がなされたものである。
　その後、平成２２年４月２日付けで審判請求人に前置報告書の内容を示し意見を求めるための審尋を行ったところ、同年６月２日に回答書が提出されたものである。
　　
［２］平成２１年４月８日の手続補正
　１．補正後の本願発明
　平成２１年４月８日の手続補正（以下「本件補正」という。）は、特許請求の範囲についての補正を含んでおり、本件補正により、特許請求の範囲は、
「【請求項１】
　通信媒体を介して印刷装置と接続され、前記印刷装置に対して本文及びタブのデータを、タブ紙を含む記録紙に両面印刷させるための制御コマンドを発行するプリンタドライバを搭載した情報処理装置であって、
　前記プリンタドライバのユーザインターフェース画面において印刷設定を受け付ける設定受付手段と、
　前記受け付けた設定に従って、前記印刷装置における印刷がタブ紙への印刷であるかを判定する判定手段と、
　前記判定手段においてタブ紙への印刷と判定された場合に前記受け付けた設定に従って、タブ紙が挿入されている給紙部を指定する給紙コマンド発行手段と、
　前記判定手段においてタブ紙への印刷と判定された場合に前記受け付けた設定に従って、記録紙をタブ紙に指定するメディアコマンド発行手段と、
　前記判定手段においてタブ紙への印刷と判定された場合に、前記タブ紙の第１の面の印刷を実行させるための第１面印刷コマンドを発行する第１面印刷コマンド発行手段と、
　前記第１面印刷コマンドを発行後に、前記印刷装置の操作パネルからの指示がくるまで、前記印刷装置における印刷を一時中断させるための制御コマンドを発行する印刷中止コマンド発行手段と、
　前記受け付けた設定に従って、前記タブ紙の第２の面の印刷を実行させるための第２面印刷コマンドを発行する第２面印刷コマンド発行手段と
を備えることを特徴とする情報処理装置。
　　【請求項２】
　前記判定手段においてタブ紙への印刷でないと判定された場合に、前記受け付けた設定に従って、前記本文の印刷を実行させるための制御コマンドを発行する本文印刷コマンド発行手段を更に備えることを特徴とする請求項１に記載の情報処理装置。
　　【請求項３】
　前記設定受付手段は、
　　前記タブ紙の給紙部の指定を受け付ける給紙部設定手段と、
　　前記タブ紙への印刷形態の指定を受け付ける印刷形態設定手段と、
　　前記タブ紙を本文に挿入する位置を受け付ける挿入位置設定手段と
を備えることを特徴とする請求項１または２に記載の情報処理装置。
　　【請求項４】
　前記タブ紙が、前記本文が両面印刷される前記記録紙間に挿入されて印刷され、かつ、前記タブ紙以前に存在する本文のページ数が奇数である場合に、
　前記本文印刷コマンド発行手段は、前記タブ紙直前の本文が印刷される前記記録紙の裏面に非課金の白紙印刷を実行させるための白紙非課金コマンドを発行することを特徴とする請求項２に記載の情報処理装置。
　　【請求項５】
　前記タブ紙が、前記本文が両面印刷される前記記録紙間に挿入されて印刷され、かつ、前記タブ紙以前に存在する本文のページ数が奇数である場合に、
　前記本文印刷コマンド発行手段は、前記本文の印刷を実行する以前に、前記本文を両面印刷させるための両面印刷コマンドを発行し、前記タブ紙直前の本文の印刷を実行する以前に前記本文を片面印刷させるための片面印刷コマンドを発行することを特徴とする請求項２に記載の情報処理装置。
　　【請求項６】
　通信媒体を介して印刷装置と接続され、前記印刷装置に対して本文及びタブのデータを、タブ紙を含む記録紙に両面印刷させるための制御コマンドを発行するプリンタドライバを搭載した情報処理装置の制御方法であって、
　前記プリンタドライバのユーザインターフェース画面において印刷設定を受け付ける設定受付工程と、
　前記受け付けた設定に従って、前記印刷装置における印刷がタブ紙への印刷であるかを判定する判定工程と、
　前記判定工程においてタブ紙への印刷と判定された場合に前記受け付けた設定に従って、タブ紙が挿入されている給紙部を指定する給紙コマンド発行工程と、
　前記判定工程においてタブ紙への印刷と判定された場合に前記受け付けた設定に従って、記録紙をタブ紙に指定するメディアコマンド発行工程と、
　前記判定工程においてタブ紙への印刷と判定された場合に、前記タブ紙の第１の面の印刷を実行させるための第１面印刷コマンドを発行する第１面印刷コマンド発行工程と、
　前記第１面印刷コマンドを発行後に、前記印刷装置の操作パネルからの指示がくるまで、前記印刷装置における印刷を一時中断させるための制御コマンドを発行する印刷中止コマンド発行工程と、
　前記受け付けた設定に従って、前記タブ紙の第２の面の印刷を実行させるための第２面印刷コマンドを発行する第２面印刷コマンド発行工程と
を備えることを特徴とする情報処理装置の制御方法。
　　【請求項７】
　前記判定工程においてタブ紙への印刷でないと判定された場合に、前記受け付けた設定に従って、前記本文の印刷を実行させるための制御コマンドを発行する本文印刷コマンド発行工程を更に備えることを特徴とする請求項６に記載の情報処理装置の制御方法。
　　【請求項８】
　前記設定受付工程は、
　　前記タブ紙の給紙部の指定を受け付ける給紙部設定工程と、
　　前記タブ紙への印刷形態の指定を受け付ける印刷形態設定工程と、
　　前記タブ紙を本文に挿入する位置を受け付ける挿入位置設定工程と
を備えることを特徴とする請求項６または７に記載の情報処理装置の制御方法。
　　【請求項９】
　前記タブ紙が、前記本文が両面印刷される前記記録紙間に挿入されて印刷され、かつ、前記タブ紙以前に存在する本文のページ数が奇数である場合に、
　前記本文印刷コマンド発行工程は、前記タブ紙直前の本文が印刷される前記記録紙の裏面に非課金の白紙印刷を実行させるための白紙非課金コマンドを発行することを特徴とする請求項７に記載の情報処理装置の制御方法。
　　【請求項１０】
　前記タブ紙が、前記本文が両面印刷される前記記録紙間に挿入されて印刷され、かつ、前記タブ紙以前に存在する本文のページ数が奇数である場合に、
　前記本文印刷コマンド発行工程は、前記本文の印刷を実行する以前に、前記本文を両面印刷させるための両面印刷コマンドを発行し、前記タブ紙直前の本文の印刷を実行する以前に前記本文を片面印刷させるための片面印刷コマンドを発行することを特徴とする請求項７に記載の情報処理装置の制御方法。
　　【請求項１１】
　請求項６乃至請求項１０のいずれか１項に記載の制御方法をコンピュータに実行させるためのプログラム。
　　【請求項１２】
　請求項１１に記載のプログラムを格納したコンピュータで読取り可能な記憶媒体。」
から
「【請求項１】
　通信媒体を介して印刷装置と接続され、前記印刷装置に対して本文及びタブのデータを、タブ紙を含む記録紙に両面印刷させるための制御コマンドを発行するプリンタドライバを搭載した情報処理装置であって、
　前記プリンタドライバのユーザインターフェース画面において印刷設定を受け付ける設定受付手段と、
　前記受け付けた設定に従って、前記印刷装置における印刷がタブ紙への印刷であるかを判定する判定手段と、
　前記判定手段においてタブ紙への印刷でないと判定された場合に、前記受け付けた設定に従って、前記本文の印刷を実行させるためのページ単位の制御コマンドを発行する本文印刷コマンド発行手段と、
　前記判定手段においてタブ紙への印刷と判定された場合に前記受け付けた設定に従って、タブ紙が挿入されている給紙部を指定する
給紙コマンドを発行する
　前記判定手段においてタブ紙への印刷と判定された場合に前記受け付けた設定に従って、記録紙をタブ紙に指定する
メディアコマンドを発行する
　前記判定手段においてタブ紙への印刷と判定された場合に、前記タブ紙の第１の面の印刷を実行させるための第１面印刷コマンドを発行する第１面印刷コマンド発行手段と、
　前記第１面印刷コマンドを発行後に、前記印刷装置の操作パネルからの指示がくるまで、前記印刷装置における印刷を一時中断させるための
一時中断
中断
　前記受け付けた設定に従って、前記タブ紙の第２の面の印刷を実行させるための第２面印刷コマンドを発行する第２面印刷コマンド発行手段と
を備え、
　
前記設定受付手段において、本文に挿入する挿入紙として少なくともタブ紙の指定が可能であり、
更に、
　　前記タブ紙の給紙部の指定を受け付ける給紙部設定手段と、
　　前記タブ紙への
表面と裏面に対する
　　前記タブ紙を本文に挿入する位置を受け付ける挿入位置設定手段と
を備え、
　
前記プリンタドライバは、
　　
前記本文印刷コマンド発行手段が発行した前記ページ単位の制御コマンドと、
　　
前記給紙コマンド発行手段が発行した前記給紙コマンドと、
　　
前記メディアコマンド発行手段が発行した前記メディアコマンドと、
　　
前記第１面印刷コマンド発行手段が発行した前記第１面印刷コマンドと、
　　
前記印刷中断コマンド発行手段が発行した前記一時中断コマンドと、
　　
前記第２面印刷コマンド発行手段が発行した前記第２面印刷コマンドとをプリントジョブファイルとして生成す
ことを特徴とする情報処理装置。
　　【請求項２】
　前記タブ紙が、前記本文が両面印刷される前記記録紙間に挿入されて印刷され、かつ、前記タブ紙以前に存在する本文のページ数が奇数である場合に、
　前記本文印刷コマンド発行手段は、前記タブ紙直前の本文が印刷される前記記録紙の裏面に非課金の白紙印刷を実行させるための白紙非課金コマンドを発行することを特徴とする請求項１に記載の情報処理装置。
　　【請求項３】
　前記タブ紙が、前記本文が両面印刷される前記記録紙間に挿入されて印刷され、かつ、前記タブ紙以前に存在する本文のページ数が奇数である場合に、
　前記本文印刷コマンド発行手段は、前記本文の印刷を実行する以前に、前記本文を両面印刷させるための両面印刷コマンドを発行し、前記タブ紙直前の本文の印刷を実行する以前に前記本文を片面印刷させるための片面印刷コマンドを発行することを特徴とする請求項１に記載の情報処理装置。
　　【請求項４】
　通信媒体を介して印刷装置と接続され、前記印刷装置に対して本文及びタブのデータを、タブ紙を含む記録紙に両面印刷させるための制御コマンドを発行するプリンタドライバを搭載した情報処理装置の制御方法であって、
　前記プリンタドライバのユーザインターフェース画面において印刷設定を受け付ける設定受付工程と、
　前記受け付けた設定に従って、前記印刷装置における印刷がタブ紙への印刷であるかを判定する判定工程と、
　前記判定工程においてタブ紙への印刷でないと判定された場合に、前記受け付けた設定に従って、前記本文の印刷を実行させるためのページ単位の制御コマンドを発行する本文印刷コマンド発行工程と、
　前記判定工程においてタブ紙への印刷と判定された場合に前記受け付けた設定に従って、タブ紙が挿入されている給紙部を指定する給紙コマンドを発行する給紙コマンド発行工程と、
　前記判定工程においてタブ紙への印刷と判定された場合に前記受け付けた設定に従って、記録紙をタブ紙に指定するメディアコマンドを発行するメディアコマンド発行工程と、
　前記判定工程においてタブ紙への印刷と判定された場合に、前記タブ紙の第１の面の印刷を実行させるための第１面印刷コマンドを発行する第１面印刷コマンド発行工程と、
　前記第１面印刷コマンドを発行後に、前記印刷装置の操作パネルからの指示がくるまで、前記印刷装置における印刷を一時中断させるための一時中断コマンドを発行する印刷中断コマンド発行工程と、
　前記受け付けた設定に従って、前記タブ紙の第２の面の印刷を実行させるための第２面印刷コマンドを発行する第２面印刷コマンド発行工程と
を備え、
　前記設定受付工程において、本文に挿入する挿入紙として少なくともタブ紙の指定が可能であり、前記設定受付工程は更に、　　
　　前記タブ紙の給紙部の指定を受け付ける給紙部設定工程と、
　　前記タブ紙への表面と裏面に対する印刷形態の指定を受け付ける印刷形態設定工程と、
　　前記タブ紙を本文に挿入する位置を受け付ける挿入位置設定工程と
を備え、
　前記プリンタドライバは、
　　前記本文印刷コマンド発行工程で発行された前記ページ単位の制御コマンドと、
　　前記給紙コマンド発行工程で発行された前記給紙コマンドと、
　　前記メディアコマンド発行工程で発行された前記メディアコマンドと、
　　前記第１面印刷コマンド発行工程で発行された前記第１面印刷コマンドと、
　　前記印刷中断コマンド発行工程で発行された前記一時中断コマンドと、
　　前記第２面印刷コマンド発行工程で発行された前記第２面印刷コマンドと
をプリントジョブファイルとして生成する
ことを特徴とする情報処理装置の制御方法。
　　【請求項５】
　前記タブ紙が、前記本文が両面印刷される前記記録紙間に挿入されて印刷され、かつ、前記タブ紙以前に存在する本文のページ数が奇数である場合に、
　前記本文印刷コマンド発行工程は、前記タブ紙直前の本文が印刷される前記記録紙の裏面に非課金の白紙印刷を実行させるための白紙非課金コマンドを発行することを特徴とする請求項４に記載の情報処理装置の制御方法。
　　【請求項６】
　前記タブ紙が、前記本文が両面印刷される前記記録紙間に挿入されて印刷され、かつ、前記タブ紙以前に存在する本文のページ数が奇数である場合に、
　前記本文印刷コマンド発行工程は、前記本文の印刷を実行する以前に、前記本文を両面印刷させるための両面印刷コマンドを発行し、前記タブ紙直前の本文の印刷を実行する以前に前記本文を片面印刷させるための片面印刷コマンドを発行することを特徴とする請求項４に記載の情報処理装置の制御方法。
　　【請求項７】
　請求項４乃至請求項６のいずれか１項に記載の制御方法をコンピュータに実行させるためのプログラム。
　　【請求項８】
　請求項７に記載のプログラムを格納したコンピュータで読取り可能な記憶媒体。」（下線は審決において付した。以下同じ。）と補正された。
　　
　本件補正後の請求項１に係る発明についての補正内容は、次の（ａ）〜（ｇ）からなる。
（ａ）補正前の請求項２を引用する請求項３を補正後の請求項１として補正前の請求項１及び２を削除する。
（ｂ）補正前の請求項１における「タブ紙が挿入されている給紙部を指定する給紙コマンド発行手段」を、「タブ紙が挿入されている給紙部を指定する給紙コマンドを発行する給紙コマンド発行手段」と明確に記載する。
（ｃ）補正前の請求項１における「記録紙をタブ紙に指定するメディアコマンド発行手段」を「記録紙をタブ紙に指定するメディアコマンドを発行するメディアコマンド発行手段」と明確に記載する。
（ｄ）補正前の請求項１における「前記印刷装置における印刷を一時中断させるための制御コマンドを発行する印刷中止コマンド発行手段」について、「前記印刷装置における印刷を一時中断させるための一時中断コマンドを発行する印刷中断コマンド発行手段」と、より具体的に限定する。
（ｅ）補正前の請求項１における「設定受付手段」について、「本文に挿入する挿入紙として少なくともタブ紙の指定が可能であり、」と、より具体的に限定する。
（ｆ）補正前の請求項３における「前記タブ紙への印刷形態の指定を受け付ける印刷形態設定手段」について、「前記タブ紙への表面と裏面に対する印刷形態の指定を受け付ける印刷形態設定手段」と、より具体的に限定する。
（ｇ）補正前の請求項１における「プリンタドライバ」について、「前記本文印刷コマンド発行工程で発行された前記ページ単位の制御コマンドと、前記給紙コマンド発行工程で発行された前記給紙コマンドと、前記メディアコマンド発行工程で発行された前記メディアコマンドと、前記第１面印刷コマンド発行工程で発行された前記第１面印刷コマンドと、前記印刷中断コマンド発行工程で発行された前記一時中断コマンドと、前記第２面印刷コマンド発行工程で発行された前記第２面印刷コマンドとをプリントジョブファイルとして生成する」と、より具体的に限定する。
　以上、上記（ａ）〜（ｇ）から、本件補正のうち補正後の請求項１に係る補正は、平成１８年法律第５５号改正附則第３条第１項によりなお従前の例によるとされる同法による改正前の特許法第１７条の２第４項第２号の「特許請求の範囲の減縮」を目的とする内容を含んでいる。
　　
　そこで、本件補正後の請求項１に記載された発明（以下「本願補正発明」という）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）否かについて、以下に検討する。 
　　
　２．引用例
（１）本願優先日前に頒布され、原査定の拒絶の理由に引用された特開２００２−１９２４３号公報（以下「引用例１」という。）には、以下の記載がある。
（ａ）「【発明の属する技術分野】
　本発明は、
タブ紙の処理を効率的に行える複写機等の画像形成装置
（ｂ）「１１２は、ＨＤ制御部１１１の制御に基づいて、画像データ圧縮／伸長部から送られてくる、または送る画像データの書き込み、読み出しが行われる不揮発性メモリであるＨＤである。１１３は、スキャン画像変換部であって、本体制御部１００の制御に基づいて画像データセレクタ１０３から流される画像データを、後述するネットワーク通信Ｉ／Ｆ１１５において
ネットワーク接続されるホストコンピュータ
（ｃ）「
１１９は、本発明の実施例である画像形成装置の操作部である
（ｄ）「図３は、図１に示した操作部１１９の詳細図である。３０１は、テンキーで、コピーの置数や画像移動量などを入力するときに使用される。３０２は、スタートキーで、コピージョブをスタートさせるときなどに使用する。３０３はストップキーで、スタートしたジョブを途中で停止させたいときなどに押下することによって、ジョブをストップすることができる。３０４は、ＬＣＤ（表示・入力部）で、一般にコピージョブのモードを設定することや複写機の動作状態を表示するために使用される。３０５は、ユーザーモードキーであり、複写機に関する標準モードに反映させる動作や表示の設定などを行うユーザーモードの各項目の設定を行うためのキーである。」（段落【００４１】）
（ｅ）「図１９〜図２２にユーザーモードにおけるタブ紙給紙段の設定を示している。図１９は、
ユーザーモードキー３０５を押下したときに開くＬＣＤ３０４に表示される画面１０００で、設定されるべき項目がウインドウ１００１に列挙されている
１００４はタブ紙給紙段設定を行うためのキーで、押下すると図２０のようなタブ紙給紙段設定サブウインドウ１０１２が表示される
（ｆ）「図４〜図９は、図３のＬＣＤ３０４の詳細な表示例である。３１０は応用モードのアイコンであり、押下すると各種モード設定を行うサブウィンドウが開く。３１２は、給紙段選択アイコンであり、押下すると図５に示すような給紙段を選択するサブウィンドウが開き、給紙段の表示・選択が行える。３１３は、試しコピーキーで、複数部あるときに、最初の１部のみを試しコピーして、サンプル出力するときに使用する。３１４は画像モードを決定するキー群で、自動濃度補正、文字モード、文字写真モード、写真モードなどの画像モードを選択し、文字モード、文字写真モード、写真モードが選択されたときには、うすく、こくのキーにより、濃度を変化させることができる。３１５は、原稿の倍率を変化させるためのキー群で、１００％等倍、縮小、拡大、１％刻みのズームキーや原稿全体をコピーするときに使用する少し小さめキーが含まれる。いずれの場合にも、原稿の倍率を変化させるもので、倍率設定後は設定された倍率が表示される。３１６はソータキーで用紙が出力された後、フィニッシングを設定する。例えば、複数枚の原稿をまとめた１部の出力を複数部出力したいときのソートモード、各原稿１ページを設定した置数分出力するグループソート、ソートモードで出力した用紙を１郡ごとにまとめてステープルするステープルモードなどがふくまれる。
３１７は両面キーで原稿や用紙を片面で読み込むか、出力するかの両面モードを設定する
（ｇ）「図５は、図４の用紙選択キー３１２を押下したときに表示されるサブウインドウで画像形成装置本体２００の右カセットデッキ２２１、左カセットデッキ２２２、上段カセット２２３あるいは下段カセット２２４、デッキ２５０、マルチ手差し２５４の給紙段のうち、選択する給紙段を設定する。このとき、３２１はマルチ手差し２５４、３２２は右カセットデッキ２２１で現在Ａ４用紙が挿入されている。３２３は左カセットデッキ２２２で現在Ａ３用紙が挿入されている。
３２４は上段カセット２２３で図２０においてタブ紙給紙段として設定されたタブ紙給紙段の表示がなされている。現在Ａ４サイズのタブ紙が挿入されていることを示しており、これにより、ユーザーはタブ紙をどこにセットすれば、またはどこに設定されているかを認識できる
（ｈ）「図６は、応用モードキー３１１を押下したときのサブウィンドウであり、それぞれ各コピーモードを設定する機能のアイコンが表示されている。３４０はページ連写キーであり、原稿を見開きとしてみなし、２分割して二つの原稿として読み取るモードである。３４１は表紙／合紙キーであり、出力紙に表紙や裏表紙、仕切りのための合紙を給紙段選択して１部のコピーを出力させるモードである。３４２は製本モードキーであり、原稿をコピーしたときに出力紙の中央で中折りしたときに見開きの本のように出力するモードである。３４３はネガポジ反転キーであり、原稿画像の白部分を黒に、黒部分を白にコピーするモードである。
３４５はタブ紙作成キーであり、図５の３２４の上カセットのようにタブ紙給紙段がある場合、タブ紙を給紙し、原稿に印字されているタブ部分に対応する画像をタブ位置に移動させてタブ紙のタブ部分に印字するモードである。３４４はタブ紙インサートキーであり、
タブ紙給紙段がある場合、タブ紙を合紙のように仕切り用紙として使用し、タブ部分に対応するコピー原稿でタブに印字するために画像移動などを行うタブ紙インサートモードである。
（ｉ）「図７はタブ紙作成キー３４５、タブ紙インサートキー３５４が押下されたときに開くサブウィンドウであり、タブ分割数を入力する。タブ紙は一般に５枚１セットになった５タブ紙が一般的であるが、本実施例では２枚１セットの２タブ紙から１２枚１セットになった１２タブ紙を扱えるような設定をすることが可能となっている。ここでいう分割数とは１セットあたりのタブ紙の数を表している。３６０は現在設定しようとしている分割数を示しており、マイナスキー３６１、プラスキー３６２によって、増減させることが可能である。３６３はＯＫキーで、入力した分割数の設定を反映させることができる。３６４は、取り消しキーであり、このタブ分割数を入力するサブウインドウから応用モードのサブウィンドウへ設定をせずに戻るときに押下する。」（段落【００４８】）
（ｊ）「図８は、図７において、タブ分割数のＯＫキー３６３が押下された後に出てくる画像移動量を設定するサブウィンドウである。この移動量は、原稿に含まれているタブ部分に印字される画像をタブ部に印字するために、画像を移動させるための移動量である通常Ａ４サイズのタブ紙は１２ｍｍほど移動させればよいが、本実施例ではタブに印字する文字の大きさや原稿上の位置によりその移動量は変化するため、０から２５ｍｍの幅で移動が可能になるように設定できる。３３０は、通常の移動量である１２を減らすためのマイナスキー、３３１は増やすためのプラスキーである。３３２は現在設定しようとしている移動量を表示している部分である。３３３は、移動量の設定をキャンセルし、タブ分割数を設定するための入力画面である図７に戻るための取り消しキーである。３３４は、３３２に表示されている値を印字時に反映させるためのＯＫキーである。」（段落【００４９】）
（ｋ）「次に、
タブインサートモード（審決注：「タブ紙インサートモード」の誤記と認める。）においては、図９において、タブ紙を挿入するページ数を設定する
（ｌ）「このように設定されたとき、この図７〜９により設定されたタブ分割数、タブ紙画像移動量、タブ紙挿入ページからコピージョブにおいてタブ紙を１部あたりのどの位置に挿入し、タブ部に印字するための画像移動量はどれくらいで、どこのページのときに、タブ紙を給紙させればよいかが決定する。」（段落【００５１】）
（ｍ）「図１１，１２に図７，８，９で設定されたタブインサード設定により、コピーされる原稿と出力紙の例を示す。図１０が原稿であり、図１１が出力紙である。このとき、原稿サイズと用紙サイズは一致しているが、タブ原稿とタブ紙のサイズがタブ部のみ異なる。図１０の４００が原稿４０１の問にはさまれているタブ紙に印字する原稿となる。それに対応して出力された出力紙が図１１であり、４１０がタブ紙で、タブ原稿４００に印字されていた画像が図８により設定された移動量分移動して、タブ部に印字される。」（段落【００５２】）
（ｎ）「図１２，１３に図７，８で設定されたタブ紙作成モード設定により、コピーされる原稿と出力紙の例を示す。図１２が原稿であり、図１３が出力紙である。このとき、原稿サイズと用紙サイズは一致しているが、タブ原稿とタブ紙のサイズがタブ部のみ異なる。それに対応して出力された出力紙が図１３であり、図１３が印字後のタブ紙で、図１２のタブ原稿に印字されていた画像が図８により設定された移動量分移動して、タブ紙のタブ部に印字される。」（段落【００５３】）
（ｏ）「図１４は、タブ紙インサートモードにおける画面のフローをまとめたものである。標準画面図４から応用モードキー３１１が押下されたときに応用モード画面図６と同じ５０１の画面が表示される。応用モード画面５０１でタブ紙インサートキー５０２が押下されたら、タブ分割数を設定するサブウインドウ図７と同じ５１０が表示される。ここでＯＫキー５１２が押下されたらタブ紙への画像移動量を設定するサブウィンドウ図８と同じ５２０が表示される。取消キー５１１が押下されたら、応用モード画面５０１へと戻る。画像移動量サブウインドウ５２０では、ＯＫキー５２２が押下されたら、インサートページ設定画面図９と同じサブウィンドウ５３０が表示される。取消しキー５２１が押下されたら、タブ分割数設定画面５１０へと戻る。インサートページ設定画面５３０では、ＯＫキー５３２が押下されたら、応用モード画面５０１へと戻り、タブ紙インサートモードにおける一連の設定が終了する。また、このとき、標準画面図４へと戻ってもよい。インサートページ設定画面５３０において、取消キー５３１が押下されたら、タブ紙の画像移動量設定画面５２０へ戻る。」（段落【００５４】）
（ｐ）上記（ｄ）及び図３から、
ＬＣＤ３０４及びユーザーモードキー３０５は画像形成装置の操作部１１９に設けられていること
（ｑ）上記（ｆ）及び図４から、
ＬＣＤ３０４上に両面キー３１７が表示されていること
（ｒ）上記（ｆ）、（ｇ）及び図５から、
タブ紙給紙段として設定された上段カセット２２３について、ＬＣＤ３０４上にタブ紙給紙段の表示３２４が付されていること
（ｓ）上記（ｆ）、（ｈ）及び図６から、
ＬＣＤ３０４上にタブ紙インサートキー３４４及びタブ紙作成キー３４５が表示されていること
（ｔ）上記（ｍ）及び図１０，１１から、
画像形成装置はタブ原稿４００をタブ紙４１０に印字し、原稿４０１をタブ紙４１０にはさまれた出力紙４１１に印字すること
　　
　上記記載事項（ａ）〜（ｔ）及び図面の記載からみて、引用例１には、以下の発明が記載されていると認められる。
「タブ原稿４００をタブ紙４１０に印字し、原稿４０１をタブ紙４１０にはさまれた出力紙４１１に印字する画像形成装置と、画像形成装置にネットワーク接続されるホストコンピュータであって、
画像形成装置の操作部１１９に設けられたユーザーモードキー３０５を押下したときに開く画像形成装置の操作部１１９に設けられたＬＣＤ３０４に表示される画面１０００で、設定されるべき項目がウインドウ１００１に列挙されており、
画面１０００は押下するとタブ紙給紙段設定サブウインドウ１０１２が表示されるタブ紙給紙段設定を行うためのキー１００４を有し、
ＬＣＤ３０４に表示される両面キー３１７で原稿や用紙を片面で読み込むか、出力するかの両面モードを設定し、
ＬＣＤ３０４に表示されるタブ紙インサートキー３４４で、タブ紙給紙段がある場合、タブ紙を合紙のように仕切り用紙として使用し、タブ部分に対応するコピー原稿でタブに印字するために画像移動などを行うタブ紙インサートモードを設定し、
タブ紙インサートモードにおいては、タブ紙を挿入するページ数を設定し、
ＬＣＤ３０４に、タブ紙給紙段として設定された上段カセット２２３についてタブ紙給紙段の表示３２４がなされて、タブ紙が挿入されていることを示すことにより、ユーザーはタブ紙をどこにセットすれば、またはどこに設定されているかを認識でき、
ＬＣＤ３０４に表示されるタブ紙作成キー３４５により、タブ紙給紙段がある場合、タブ紙を給紙し、原稿に印字されているタブ部分に対応する画像をタブ位置に移動させてタブ紙のタブ部分に印字するモードを設定し、
タブ紙の処理を効率的に行える複写機等の画像形成装置と、画像形成装置にネットワーク接続されるホストコンピュータ。」（以下「引用発明１」という。）
　　
（２）本願優先日前に頒布され、原査定の拒絶の理由に引用された特開２００１−２３５９７２号公報（以下「引用例２」という。）には、以下の記載がある。
（ａ）「まず、画像処理装置について図１を用いて説明する。図１は一実施例の
プリントシステムの構成を示すブロック図であり、同図において、１は画像処理装置、２はホストコンピュータ（情報処理装置）であり、インターフェースケーブル３によって外部Ｉ／Ｆ（入力手段）４を介して画像処理装置１と接続されている
（ｂ）「画像形成装置本体２１で入力した画像データに基づいて感光ドラム２４上に潜像が形成され、現像器２３によって画像形成される。
給紙制御部２６は画像処理装置１からの指示に応じて、給紙部２９または不図示の自動両面ユニットの片面プリント（片面印刷）された用紙を再給紙するための中間排紙トレイ２８から給紙を行い、転写ドラム２５に用紙を搬送する
（ｃ）「
その後、転写ドラム２５に搬送された用紙上に、感光ドラム上に形成された画像を転写し、定着器２７によって画像の定着を行う。画像の定着後、画像処理装置１の指示に応じて用紙を排紙部３０へ排紙するか、中間排紙トレイ２８へ格納する
（ｄ）「次に、
中間排紙トレイ２８を用いて両面プリントが行えない紙種に対して両面プリントが指示された場合
（ｅ）「図３は一実施例の手動両面プリントの流れを示す説明図であり、まず図３（ａ）において、
厚紙による両面プリントが指示されているが、厚紙の場合中間排紙トレイ２８を用いることができないため一面目をプリントした後、一旦排紙を行い、プリントを指示したホストコンピュータ２に対して排紙された用紙を給紙部２９の給紙トレイにセットするよう指示を行う
（ｆ）「また、図示していないが
同様のメッセージを画像処理装置が持つ操作パネル（通知手段）上にも表示する
ユーザはホストコンピュータ２のモニタ（通知手段）に表示されたメッセージ、または操作パネル上に表示されたメッセージのいずれかに従って排紙された用紙を再び画像形成装置本体２１の給紙トレイにセットする
（ｇ）「
給紙トレイに用紙がセットされたことを検知した後、画像形成装置本体２１の定着モードを二面目プリント用の定着モードに設定し二面目のプリントを行う
　　
　上記記載事項（ａ）〜（ｇ）及び図面の記載からみて、引用例２には、以下の発明が記載されていると認められる。
「１は画像処理装置、２はホストコンピュータ（情報処理装置）であり、インターフェースケーブル３によって外部Ｉ／Ｆ（入力手段）４を介して画像処理装置１と接続されているプリントシステムであって、
給紙制御部２６は画像処理装置１からの指示に応じて、給紙部２９または自動両面ユニットの片面プリント（片面印刷）された用紙を再給紙するための中間排紙トレイ２８から給紙を行い、転写ドラム２５に用紙を搬送し、その後、転写ドラム２５に搬送された用紙上に、感光ドラム上に形成された画像を転写し、定着器２７によって画像の定着を行い、画像の定着後、画像処理装置１の指示に応じて用紙を排紙部３０へ排紙するか、中間排紙トレイ２８へ格納し、
中間排紙トレイ２８を用いて両面プリントが行えない紙種に対して両面プリントが指示された場合、
厚紙による両面プリントが指示されているが、厚紙の場合中間排紙トレイ２８を用いることができないため一面目をプリントした後、一旦排紙を行い、画像処理装置が持つ操作パネル（通知手段）上に、排紙された用紙を給紙部２９の給紙トレイにセットするよう指示を行い、
ユーザは操作パネル上に表示されたメッセージに従って排紙された用紙を再び画像形成装置本体２１の給紙トレイにセットし、
給紙トレイに用紙がセットされたことを検知した後、画像形成装置本体２１の定着モードを二面目プリント用の定着モードに設定し二面目のプリントを行う、
プリントシステム。」（以下「引用発明２」という。）
　　
（３）本願優先日前に頒布され、原査定の拒絶の理由に引用された特開平１１−２２４０２７号公報（以下「引用例３」という。）には、以下の記載がある。
（ａ）「
複数の原稿情報を光学的に順次読み取りその後記憶手段に格納し、出力モードとして片面、両面記録の設定と読込原稿の任意頁に白紙を挿入する第１の制御手段と、複数のトレイ段を有して出力の任意頁のトレイ段を切り替え制御可能な第２の制御手段と、前記第１の制御手段と第２の制御手段への設定を可能とする設定手段と、読込原稿を部数毎に出力する出力手段と、を有する画像形成装置であり、厚紙に対応し両面選択不可の手差しトレイを有し、頁の先頭または最後に手差しトレイからの給紙を設定するカバーモード選択時は両面選択も可能とするが、手差しトレイからの給紙時は自動的に片面記録を実行し、手差し以外のトレイ段からの給紙時は両面記録を実行可能にしたことを特徴とする画像形成装置
（ｂ）「この発明は、通常のデジタル複写装置またはプリンタ等においても、
任意トレイ段の選択、白紙画像挿入、片面／両面の選択を任意に設定可能とすることで
（ｃ）「ステップｃ１において、先頭または最終頁の判断を行い、先頭頁の場合には、ステップｄ１で手差しトレイ７９から給紙して片面記録を行う。ステップｅ１では、全頁の記録の判断を行い、全頁の記録が終了していない場合には、ステップｃ１へ移行する。ステップｃ１では、先頭または最終頁でない場合にはステップｆ１で上段トレイ７１から転写紙を給紙し、両面記録を行い全頁の記録が行われると終了する。」（段落【００４２】）
（ｄ）「このように、１頁目は、
手差しトレイ７９からの転写紙にＡ画像が形成され、片面モードで処理される。２頁目以降は通常トレイからの転写紙に画像形成するため、自動的に両面記録制御を実行する
　　
　上記記載事項（ａ）〜（ｄ）及び図面の記載からみて、引用例３には、以下の発明が記載されていると認められる。
「複数の原稿情報を光学的に順次読み取りその後記憶手段に格納し、出力モードとして片面、両面記録の設定と読込原稿の任意頁に白紙を挿入する第１の制御手段と、複数のトレイ段を有して出力の任意頁のトレイ段を切り替え制御可能な第２の制御手段と、前記第１の制御手段と第２の制御手段への設定を可能とする設定手段と、読込原稿を部数毎に出力する出力手段と、を有し、
厚紙に対応し両面選択不可の手差しトレイを有し、頁の先頭または最後に手差しトレイからの給紙を設定するカバーモード選択時は両面選択も可能とするが、手差しトレイからの給紙時は自動的に片面記録を実行し、手差し以外のトレイ段からの給紙時は両面記録を実行可能にした画像形成装置であって、
任意トレイ段の選択、白紙画像挿入、片面／両面の選択を任意に設定可能とすることで、
手差しトレイ７９からの転写紙にＡ画像が形成され、片面モードで処理され、２頁目以降は通常トレイからの転写紙に画像形成するため、自動的に両面記録制御を実行する、
画像形成装置。」（以下「引用発明３」という。）
　　
　３．対比
　本願補正発明と引用発明１とを比較すると、引用発明１の「画像形成装置」は、本願補正発明の「印刷装置」に相当し、以下同様に、「用紙」は「記録紙」に、それぞれ相当する。
　引用発明１は、「画像形成装置と、画像形成装置にネットワーク接続されるホストコンピュータ」であって、印刷の処理を行うものであることは明らかであり、本願補正発明の「情報処理装置」も、同様に印刷の処理を行うものであることは明らかであるから、ともに「印刷処理装置」ということができる。
　引用発明１の「画像形成装置と、画像形成装置にネットワーク接続されるホストコンピュータ」は、「両面キー３１７で原稿や用紙を片面で読み込むか、出力するかの両面モードを設定」するものであるから、本願補正発明と、「記録紙に両面印刷」するものである点で共通する。
　引用発明１の「画面１０００」は、ユーザーモードキー３０５を押下したときに開くＬＣＤ３０４に表示される画面であって、設定されるべき項目がウインドウ１００１に列挙されることが記載されており、また、図１９の記載から、「ユーザインターフェース画面」ということができるものであって、該「画面１０００」において、印刷設定を受け付けることができることは明らかであるから、引用発明１は、「ユーザインターフェース画面において印刷設定を受け付ける設定受付手段」を有するということができる。
　引用発明１は、タブ紙４１０への印字とタブ紙以外の出力紙４１１への印字を行っており、「タブ紙作成キー３４５により、タブ紙給紙段がある場合、タブ紙を給紙し、原稿に印字されているタブ部分に対応する画像をタブ位置に移動させてタブ紙のタブ部分に印字するモードを設定」するものであるから、「受け付けた設定に従って、印刷装置における印刷がタブ紙への印刷であるかを判定する判定手段」及び「判定手段においてタブ紙への印刷と判定された場合に前記受け付けた設定に従って、タブ紙が挿入されている給紙部を指定する手段」及び「判定手段においてタブ紙への印刷と判定された場合に前記受け付けた設定に従って、記録紙をタブ紙に指定する手段」を有しているということができる。
　引用発明１の「キー１００４」は、押下するとタブ紙給紙段設定サブウインドウ１０１２が表示されるタブ紙給紙段設定を行うためのものであるから、「タブ紙の給紙部の指定を受け付ける給紙部設定手段」を有するということができる。
　引用発明１は、「タブ紙インサートモードにおいては、タブ紙を挿入するページ数を設定」するものであるから、「設定受付手段において、本文に挿入する挿入紙として少なくともタブ紙の指定が可能」であるということができるとともに、「設定受付手段は、タブ紙を本文に挿入する位置を受け付ける挿入位置設定手段」を有するということができる。
　以上から、本願補正発明と引用発明１は、
「記録紙に両面印刷し、
　ユーザインターフェース画面において印刷設定を受け付ける設定受付手段と、
　前記受け付けた設定に従って、前記印刷装置における印刷がタブ紙への印刷であるかを判定する判定手段と、
　前記判定手段においてタブ紙への印刷と判定された場合に前記受け付けた設定に従って、タブ紙が挿入されている給紙部を指定する手段と、
　前記判定手段においてタブ紙への印刷と判定された場合に前記受け付けた設定に従って、記録紙をタブ紙に指定する手段と、
　前記判定手段においてタブ紙への印刷と判定された場合に、タブ紙の印刷を実行させる手段と、
を備え、
　前記設定受付手段において、本文に挿入する挿入紙として少なくともタブ紙の指定が可能であり、前記設定受付手段は更に、
　前記タブ紙の給紙部の指定を受け付ける給紙部設定手段と、
　前記タブ紙を本文に挿入する位置を受け付ける挿入位置設定手段と
を備える印刷処理装置」の点で一致し、以下の点で相違している。
　　
［相違点１］印刷処理装置に関し、本願補正発明は、「通信媒体を介して印刷装置と接続され、前記印刷装置に対して本文及びタブのデータを、タブ紙を含む記録紙に両面印刷させるための制御コマンドを発行するプリンタドライバを搭載した情報処理装置」であって、プリンタドライバは、設定受付手段と、判定手段と、本文印刷コマンド発行手段と、給紙コマンド発行手段と、メディアコマンド発行手段と、第１面印刷コマンド発行手段と、印刷中断コマンド発行手段と、第２面印刷コマンド発行手段とを備え、該プリンタドライバのユーザインタフェース画面において印刷設定を受け付けるとともに、該プリンタドライバは、本文印刷コマンド発行手段が発行したページ単位の制御コマンドと、給紙コマンド発行手段が発行した給紙コマンドと、メディアコマンド発行手段が発行したメディアコマンドと、第１面印刷コマンド発行手段が発行した第１面印刷コマンドと、印刷中断コマンド発行手段が発行した一時中断コマンドと、第２面印刷コマンド発行手段が発行した第２面印刷コマンドとをプリントジョブファイルとして生成するのに対し、引用発明１はそのようなものではない点。
［相違点２］本願補正発明は、「タブ紙への表面と裏面に対する印刷形態の指定を受け付ける印刷形態設定手段」を有するのに対し、引用発明１は両面に印刷を行うことができるものであるが、タブ紙の両面に印刷を行うものであるか否かが判然とせず、またそのような印刷形態設定手段を備えていない点。
［相違点３］本願補正発明は、「前記判定手段においてタブ紙への印刷と判定された場合に、前記タブ紙の第１の面の印刷を実行させるための第１面印刷コマンドを発行する第１面印刷コマンド発行手段と、前記第１面印刷コマンドを発行後に、前記印刷装置の操作パネルからの指示がくるまで、前記印刷装置における印刷を一時中断させるための一時中断コマンドを発行する印刷中断コマンド発行手段と、前記受け付けた設定に従って、前記タブ紙の第２の面の印刷を実行させるための第２面印刷コマンドを発行する第２面印刷コマンド発行手段」を有するのに対し、引用発明１はそのような第１面印刷コマンド発行手段と、印刷中断コマンド発行手段と、第２面印刷コマンド発行手段を備えていない点。
［相違点４］本願補正発明は、「判定手段においてタブ紙への印刷でないと判定された場合に、前記受け付けた設定に従って、前記本文の印刷を実行させるためのページ単位の制御コマンドを発行する本文印刷コマンド発行手段」を有するものであるのに対し、引用発明１は、本文の印刷をどのように行なっているか、定かではない点。
　　
　４．判断
　［相違点１］について
　印刷処理装置において、印刷装置と情報処理装置とを通信媒体を介して接続して、種々の制御コマンドを発行するプリンタドライバを搭載した情報処理装置で種々の印刷設定を行い、該設定に対応する種々の制御コマンドを発行して各コマンドとプリントジョブファイルとして生成し、印刷装置に印刷させることは例示するまでもなく周知の技術であるから、引用発明１に該周知技術を適用して、印刷装置と情報処理装置とを通信媒体を介して接続し、情報処理装置に種々の制御コマンドを発行するプリンタドライバを搭載して種々の印刷設定を行い、該設定に対応する種々の制御コマンドを発行して各コマンドとプリントジョブファイルとして生成し、印刷装置に印刷させることは、当業者が容易になし得る程度の事項にすぎない。
　印刷設定の内容及びそれに対応するプリンタドライバの構成については相違点２〜４でさらに検討する。
　［相違点２］について
　引用発明１に記載のものも、両面に印刷をできるものであり、紙に両面印刷をするか否かは必要に応じ適宜選択すべき事項であって、タブ紙に両面印刷を行うことも例えば本願優先日前に頒布された特開平１１−１８００１０号公報に記載されているとおり、設計事項にすぎない。
　そして、引用発明１に記載のものも、ユーザインターフェース画面においてタブ紙の印刷設定を受け付ける設定受付手段を備えるものであるから、かかる設定受付手段にタブ紙への表面と裏面に対する印刷形態の指定を受け付ける印刷形態設定手段を設けて両面印刷を行うことは、当業者が適宜設計して採用すれば足りる程度の事項にすぎず、その際、プリンタドライバのユーザインターフェース画面における設定受付手段に印刷形態設定手段を設けることも、当業者が必要に応じて採用し得る程度の設計事項にすぎない。
　よって、引用発明１において、そのようにタブ紙への印刷設定を行って上記相違点２に係る本願補正発明の構成を得ることは、当業者が容易になし得る程度のことである。
　［相違点３］について
　引用例２には、
「１は画像処理装置、２はホストコンピュータ（情報処理装置）であり、インターフェースケーブル３によって外部Ｉ／Ｆ（入力手段）４を介して画像処理装置１と接続されているプリントシステムであって、
給紙制御部２６は画像処理装置１からの指示に応じて、給紙部２９または自動両面ユニットの片面プリント（片面印刷）された用紙を再給紙するための中間排紙トレイ２８から給紙を行い、転写ドラム２５に用紙を搬送し、その後、転写ドラム２５に搬送された用紙上に、感光ドラム上に形成された画像を転写し、定着器２７によって画像の定着を行い、画像の定着後、画像処理装置１の指示に応じて用紙を排紙部３０へ排紙するか、中間排紙トレイ２８へ格納し、
中間排紙トレイ２８を用いて両面プリントが行えない紙種に対して両面プリントが指示された場合、
厚紙による両面プリントが指示されているが、厚紙の場合中間排紙トレイ２８を用いることができないため一面目をプリントした後、一旦排紙を行い、画像処理装置が持つ操作パネル（通知手段）上に、排紙された用紙を給紙部２９の給紙トレイにセットするよう指示を行い、
ユーザは操作パネル上に表示されたメッセージに従って排紙された用紙を再び画像形成装置本体２１の給紙トレイにセットし、
給紙トレイに用紙がセットされたことを検知した後、画像形成装置本体２１の定着モードを二面目プリント用の定着モードに設定し二面目のプリントを行う、
プリントシステム。」
が引用発明２として記載されている。（上記［２］２．（２）参照。）
　ここで、引用発明１もタブ紙に印刷を行うものであって、タブ紙として厚紙を用いることも通常行われている事項にすぎない。そして、厚紙に印刷する場合に厚紙の反転ができない、あるいは、厚紙を反転しようとすると紙詰まりを生ずるという印刷装置の物理的な制限があることはよく知られた事項であるから、通常厚紙であるタブ紙に両面印刷を行う際に、第１の面の印刷を実行し、その後指示がくるまで印刷を一時中断させた後に、受け付けた設定に従って第２の面の印刷を実行させることによって、反転を行わずに両面印刷を行う構成を採用することは、当業者が引用発明１に引用発明２を適用して、容易になし得た程度のことである。
　その際、プリンタドライバを搭載して種々の印刷設定を行い、該設定に対応する種々の制御コマンドを発行して印刷装置に印刷させることは相違点１で既に検討したように周知の事項であるから、プリンタドライバに前記判定手段においてタブ紙への印刷と判定された場合に、前記タブ紙の第１の面の印刷を実行させるための第１面印刷コマンドを発行する第１面印刷コマンド発行手段と、前記第１面印刷コマンドを発行後に、前記印刷装置の操作パネルからの指示がくるまで、前記印刷装置における印刷を一時中断させるための一時中断コマンドを発行する印刷中断コマンド発行手段と、前記受け付けた設定に従って、前記タブ紙の第２の面の印刷を実行させるための第２面印刷コマンドを発行する第２面印刷コマンド発行手段を設けて、反転を行わずに両面印刷を行う構成を得ることも、当業者が必要に応じて採用し得る程度の設計事項にすぎない。
　すなわち、引用発明１において、上記相違点３に係る本願補正発明の構成を得ることは、引用発明２に基づき当業者が容易になし得たことである。
［相違点４］
　引用例３には、
「複数の原稿情報を光学的に順次読み取りその後記憶手段に格納し、出力モードとして片面、両面記録の設定と読込原稿の任意頁に白紙を挿入する第１の制御手段と、複数のトレイ段を有して出力の任意頁のトレイ段を切り替え制御可能な第２の制御手段と、前記第１の制御手段と第２の制御手段への設定を可能とする設定手段と、読込原稿を部数毎に出力する出力手段と、を有し、
厚紙に対応し両面選択不可の手差しトレイを有し、頁の先頭または最後に手差しトレイからの給紙を設定するカバーモード選択時は両面選択も可能とするが、手差しトレイからの給紙時は自動的に片面記録を実行し、手差し以外のトレイ段からの給紙時は両面記録を実行可能にした画像形成装置であって、
任意トレイ段の選択、白紙画像挿入、片面／両面の選択を任意に設定可能とすることで、
手差しトレイ７９からの転写紙にＡ画像が形成され、片面モードで処理され、２頁目以降は通常トレイからの転写紙に画像形成するため、自動的に両面記録制御を実行する、
画像形成装置。」
が引用発明３として記載されている。（上記［２］２．（３）参照。）
　引用発明１に記載のものも、タブ原稿４００をタブ紙４１０に印字し、原稿４０１をタブ紙４１０にはさまれた出力紙４１１に印字するものであるから、本文とタブ紙を区別して本文とタブ紙それぞれに対して印刷を行うものであることは明らかである。そして、タブ紙以外の本文の印刷について、受け付けた設定に従って、本文の印刷を実行することは、引用発明１に引用発明３を適用することにより、当業者が容易になし得ることができたものである。
　そして、その際、プリンタドライバを搭載して種々の印刷設定を行い、該設定に対応する種々の制御コマンドを発行して印刷装置に印刷させることは相違点１で既に検討したように周知の事項であるから、プリンタドライバに、判定手段においてタブ紙への印刷でないと判定された場合に、前記受け付けた設定に従って、前記本文の印刷を実行させるためのページ単位の制御コマンドを発行する本文印刷コマンド発行手段を設けて、タブ紙以外の本文の印刷について、受け付けた設定に従って、本文の印刷を実行することも、当業者が必要に応じて採用し得る程度の設計事項にすぎない。
　よって、上記相違点４に係る本願補正発明の構成は、引用発明１に引用発明３を適用することにより、当業者が容易になし得たことである。
　　
　そして、本願補正発明の作用効果も、引用発明１、引用発明２、引用発明３及び周知技術から当業者が予測できる範囲のものである。
　したがって、本願補正発明は、引用例１〜引用例３に記載された発明及び周知技術から当業者が容易に発明をすることができたものであるから、特許法第２９条第２項の規定により特許出願の際独立して特許を受けることができないものである。
　　
　（５）むすび
　以上のとおり、本件補正は、特許法第１７条の２第５項で準用する同法第１２６条第５項の規定に違反するものであり、同法第１５９条第１項で準用する同法第５３条第１項の規定により却下されるべきものである。　
　　
［３］平成２２年６月２日付け回答書記載の補正案
　平成２２年６月２日付け回答書において、請求人は、請求項１及び請求項４についての補正の希望を述べるとともに補正案を示しており、そのうち、請求項１についての補正案は、次のとおりのものである。
「通信媒体を介して印刷装置と接続され、前記印刷装置に対して本文及びタブのデータを、タブ紙を含む記録紙に両面印刷させるための制御コマンドを発行するプリンタドライバを搭載した情報処理装置であって、 
 　前記プリンタドライバのユーザインターフェース画面において印刷設定を受け付ける設定受付手段と、 
 　前記受け付けた設定に従って、前記印刷装置における印刷がタブ紙への印刷であるかを判定する判定手段と、 
 　前記判定手段においてタブ紙への印刷でないと判定された場合に、前記受け付けた設定に従って、前記本文の印刷を実行させるためのページ単位の制御コマンドを発行する本文印刷コマンド発行手段と、 
 　前記判定手段においてタブ紙への印刷と判定された場合に前記受け付けた設定に従って、タブ紙が挿入されている給紙部を指定する給紙コマンドを発行する給紙コマンド発行手段と、 
 　前記判定手段においてタブ紙への印刷と判定された場合に前記受け付けた設定に従って、記録紙をタブ紙に指定するメディアコマンドを発行するメディアコマンド発行手段と、
 　前記判定手段においてタブ紙への印刷と判定された場合に、前記タブ紙の表面の印刷を実行させるために前記タブ紙のタブ部の表面にイメージを印刷するための表面印刷コマンドを発行する表面印刷コマンド発行手段と、 
 　前記表面印刷コマンドを発行後に、前記印刷装置の操作パネルからの指示がくるまで、前記印刷装置における印刷を一時中断させるための一時中断コマンドを発行する印刷中断コマンド発行手段と、 
 　前記受け付けた設定に従って、前記タブ紙の裏面の印刷を実行させるために前記表面に印刷されるイメージの鏡像イメージを生成し、前記鏡像イメージを前記タブ紙のタブ部の裏面に印刷するための裏面印刷コマンドを発行する裏面印刷コマンド発行手段とを備え、 
 　前記設定受付手段において、本文に挿入する挿入紙として少なくともタブ紙の指定が可能であり、前記設定受付手段は更に、 
 　前記タブ紙の給紙部の指定を受け付ける給紙部設定手段と、 
 　前記タブ紙への表面と裏面に対する印刷形態の指定を受け付ける印刷形態設定手段と、
 　前記タブ紙を本文に挿入する位置を受け付ける挿入位置設定手段と 
 を備え、 
 　前記プリンタドライバは、 
 　前記本文印刷コマンド発行手段が発行した前記ページ単位の制御コマンドと、前記給紙コマンド発行手段が発行した前記給紙コマンドと、 
 　前記メディアコマンド発行手段が発行した前記メディアコマンドと、 
 　前記表面印刷コマンド発行手段が発行した前記表面印刷コマンドと、 
 　前記印刷中断コマンド発行手段が発行した前記一時中断コマンドと、 
 　前記裏面印刷コマンド発行手段が発行した前記裏面印刷コマンドと、 
 をプリントジョブファイルとして生成する 
 ことを特徴とする情報処理装置。 」（以下「回答書発明」という。）
　回答書発明は、本願補正発明における「第１の面」、「第１面印刷コマンド」、「第１面印刷コマンド発行手段」、「第２の面」、「第２面印刷コマンド」及び「第２面印刷コマンド発行手段」について、それぞれ「表面」、「表面印刷コマンド」、「表面印刷コマンド発行手段」、「裏面」、「裏面印刷コマンド」及び「裏面印刷コマンド発行手段」と言い換えてより明確に記載するとともに、本願補正発明の「第１面印刷コマンド（表面印刷コマンド）」について「前記タブ紙のタブ部の表面にイメージを印刷するための表面印刷コマンド」と、同じく本願補正発明の「第２面印刷コマンド（裏面印刷コマンド）」を「前記表面に印刷されるイメージの鏡像イメージを生成し、前記鏡像イメージを前記タブ紙のタブ部の裏面に印刷するための裏面印刷コマンド」と、ともに明細書の段落【０１００】〜【０１０６】及び図４、図１６の記載に基づき、より限定して記載したものである。
　しかしながら、記録媒体表面に印刷されるイメージの鏡像イメージを生成し、前記鏡像イメージを前記記録媒体の裏面に印刷することは本願優先日前に頒布された特開平１０−３２９３１１号公報（以下「引用例４」という）に、タブ紙のタブ部の表面とタブ部の裏面とに印刷を行うことは、本願優先日前に頒布された特開平１１−１８００１０号公報（以下「引用例５」という）に、それぞれ記載されており、上記の点を限定したとしても、回答書発明は、引用例１〜引用例５に記載された発明及び周知技術に基づき、当業者が容易に発明をすることができたものと認められる。
　したがって、審判請求人の主張を採用して、新たに補正の機会を与えて回答書発明に基づいて意見を述べる機会を与える必要はない。
　　
［４］本願発明について
　平成２１年４月８日の手続補正は上記のとおり却下されたので、本願の請求項１〜１２に係る発明は、平成２０年８月５日付け手続補正書の特許請求の範囲の請求項１〜１２に記載された事項により特定されるとおりのものであり、その請求項２を引用する請求項３に係る発明（以下「本願発明」という。）を独立形式で記載すると次のとおりのものと認められる。
「通信媒体を介して印刷装置と接続され、前記印刷装置に対して本文及びタブのデータを、タブ紙を含む記録紙に両面印刷させるための制御コマンドを発行するプリンタドライバを搭載した情報処理装置であって、
　前記プリンタドライバのユーザインターフェース画面において印刷設定を受け付ける設定受付手段と、
　前記受け付けた設定に従って、前記印刷装置における印刷がタブ紙への印刷であるかを判定する判定手段と、
　前記判定手段においてタブ紙への印刷と判定された場合に前記受け付けた設定に従って、タブ紙が挿入されている給紙部を指定する給紙コマンド発行手段と、
　前記判定手段においてタブ紙への印刷と判定された場合に前記受け付けた設定に従って、記録紙をタブ紙に指定するメディアコマンド発行手段と、
　前記判定手段においてタブ紙への印刷と判定された場合に、前記タブ紙の第１の面の印刷を実行させるための第１面印刷コマンドを発行する第１面印刷コマンド発行手段と、
　前記第１面印刷コマンドを発行後に、前記印刷装置の操作パネルからの指示がくるまで、前記印刷装置における印刷を一時中断させるための制御コマンドを発行する印刷中止コマンド発行手段と、
　前記受け付けた設定に従って、前記タブ紙の第２の面の印刷を実行させるための第２面印刷コマンドを発行する第２面印刷コマンド発行手段と
を備える情報処理装置であって、
　前記判定手段においてタブ紙への印刷でないと判定された場合に、前記受け付けた設定に従って、前記本文の印刷を実行させるための制御コマンドを発行する本文印刷コマンド発行手段を更に備え、
　前記設定受付手段は、
　　前記タブ紙の給紙部の指定を受け付ける給紙部設定手段と、
　　前記タブ紙への印刷形態の指定を受け付ける印刷形態設定手段と、
　　前記タブ紙を本文に挿入する位置を受け付ける挿入位置設定手段と
を備えることを特徴とする情報処理装置。」
　　
　（１）引用例
　原査定の拒絶の理由に引用された引用例、及びその記載事項は、上記「［２］２．」に記載したとおりである。　
　　
　（２）対比・判断
　本願発明は、本願補正発明を特定する事項から、上記「［２］１．」で示した限定を省いたものに実質的に相当する。 
　そうすると、本願発明を特定する事項をすべて含み、さらに限定を付加したものに相当する本願補正発明が、上記「［２］４．」で検討したとおり、引用例１〜引用例３に記載された発明及び周知技術に基いて当業者が容易に発明をすることができたものであるから、本願発明も、同様の理由により、引用例１〜引用例３に記載された発明及び周知技術に基いて当業者が容易に発明をすることができたものである。 
　　
　（３）むすび
　以上のとおり、本願発明は、引用例１〜引用例３に記載された発明及び周知技術に基づいて、当業者が容易に発明をすることができたものであるから、特許法第２９条第２項の規定により特許を受けることができない。
　　
　よって、結論のとおり審決する。